(57)【特許請求の範囲】
【請求項１】
ドア（１）を間に挟さんで、錠本体（８）、内ハンドル（１０）、サムターン（１１）を備えた内側錠ユニット（２）と、シリンダー錠（２６）および外ハンドル（２７）を備えた外側錠ユニット（３）とが対向配置してある、面付け型のグレモン錠であって、
サムターン（１１）とシリンダー錠（２６）とは、ドア（１）を横断するサムターン軸（５）で連動可能に連結され、内外のハンドル（１０・２７）は、ドア（１）を横断するハンドル軸（４）で連動可能に連結されており、
サムターン軸（５）は、角軸からなるスライド軸部（３２）と、軸端の連結部（３３）とを一体に備えており、
前記スライド軸部（３２）には軸心に沿って逃げ溝（３４）が通設され、前記連結部（３３）にはシリンダー錠（２６）の錠軸（４０）と係合する連結穴（３５）が形成されており、
サムターン軸（５）とサムターン（１１）とは、スライド軸部（３２）とサムターン（１１）の断面四角形状の連結穴（２１）とを内外に嵌合して、同行回転可能に、しかし、相対スライド可能に係合連結されており、
サムターン（１１）に固定したピン（３６）をスライド軸部（３２）の逃げ溝（３４）に係合して、サムターン軸（５）とサムターン（１１）とが分離不能に係合連結されており、
サムターン（１１）とサムターン軸（５）との間に配置したばね（３７）で、サムターン軸（５）を錠軸（４０）の側へ向かって移動付勢して、サムターン軸（５）の連結穴（３５）と錠軸（４０）とが係合している面付け型のグレモン錠。
【請求項２】
ばね（３７）が連結部（３３）とサムターンレバー（１８）のボス端との間に配置されて、サムターンレバー（１８）側の端部が密着する状態で巻かれており、
密着する状態で巻かれた蜜巻部（３８）でピン（３６）の抜け出しを防いでいる請求項１に記載の面付け型のグレモン錠。  
【発明の詳細な説明】
【０００１】
【発明の属する技術分野】
本発明は錠機構がドア表面に装着してある面付け型のグレモン錠に関する。
【０００２】
【従来の技術】
この種のグレモン錠は、特開平９−２７９９１６号公報に公知である。そこでは、内外一対の錠ユニットでグレモン錠を構成し、各錠ユニットをドアの内面と外面のそれぞれに面付け状態で装着している。内側錠ユニットには、サムターンや、錠機構などが組み込まれており、外側錠ユニットに組み込んだシリンダー錠と、サムターンとは、ドアを横切るサムターン軸で連動可能に連結してある。内外の操作ハンドルは、ハンドル軸を介して連動可能に連結してある。
【０００３】
【発明が解決しようとする課題】
上記のように、内外の錠ユニットをドアに対して面付けすると、ドアにサムターン軸、ハンドル軸、およびねじを挿通するための穴や通口を形成するだけでよく、錠全体をドアの肉壁内に埋設していた従来のグレモン錠に比べて、ドア側の穴加工を最小限化でき、しかもドアに対する組み付けを少ない手間で簡便に行える。しかし、グレモン錠を適用するドアの厚みが異なる毎に、ドア厚みに適合するサムターン軸やハンドル軸を用意しなければならない不便がある。多くの場合には、全体が角軸からなるハンドル軸は、軸長さを大きめにしておいて、余分な部分を切断し、あるいはハンドル側で吸収することで、ドア厚みの違いに対応できる。しかし、サムターン軸の場合は、その両端にシリンダー錠用の連結部と、サムターン用の連結部とを有し、これらの連結部の断面構造が異なるために、ドア厚みの違いに応じて、全長が異なるサムターン軸を幾種類か用意しなければならず、その分だけ錠のコストが増し、製品の管理の手間が煩雑化する不利があった。
【０００４】
本発明の目的は、面付け型のグレモン錠の特長を継承しながら、ドアの厚み寸法が異なる場合にも、一定範囲内でサムターン軸を共用できるようにし、以て、面付け型のグレモン錠のコストを削減し、製品管理の手間を軽減することにある。
【０００５】
【課題を解決するための手段】
本発明のグレモン錠は、ドア１を間に挟さんで、錠本体８、内ハンドル１０、サムターン１１を備えた内側錠ユニット２と、シリンダー錠２６および外ハンドル２７を備えた外側錠ユニット３とが対向配置する。サムターン１１とシリンダー錠２６とは、ドア１を横断するサムターン軸５で連動可能に連結し、内外のハンドル１０・２７は、ドア１を横断するハンドル軸４で連動可能に連結する。サムターン軸５は、角軸からなるスライド軸部３２と、軸端の連結部３３とを一体に備えている。スライド軸部３２には軸心に沿って逃げ溝３４を通設し、連結部３３にはシリンダー錠２６の錠軸４０と係合する連結穴３５を形成する。サムターン軸５とサムターン１１とは、スライド軸部３２とサムターン１１の断面四角形状の連結穴２１とを内外に嵌合して、同行回転可能に、しかし、相対スライド可能に係合連結する。サムターン１１に固定したピン３６をスライド軸部３２の逃げ溝３４に係合して、サムターン軸５とサムターン１１とを分離不能に係合連結する。サムターン１１とサムターン軸５との間に配置したばね３７で、サムターン軸５を錠軸４０の側へ向かって移動付勢して、サムターン軸５の連結穴３５と錠軸４０とを係合する。
【０００６】
ばね３７が連結部３３とサムターンレバー１８のボス端との間に配置されて、サムターンレバー１８側の端部が密着する状態で巻かれており、密着する状態で巻かれた蜜巻部３８でピン３６の抜け出しを防ぐ。
【０００８】
【発明の作用効果】
サムターン軸５とサムターン１１を同行回転可能に、しかし軸心方向へは相対スライド可能に連結するので、サムターン軸５とサムターン１１とが相対スライド変位することによって、ドア１の厚み変化を吸収できる。従って、本発明のグレモン錠によれば、適用するドア１の厚み寸法が大小に異なる場合でも、一定範囲内でサムターン軸５を共用でき、その分だけ面付け型のグレモン錠のコストを削減し、製品管理の手間を軽減できる。
【０００９】
サムターン軸５とサムターン１１を相対スライド可能に係合連結するには、いくつかの構造があるが、サムターン軸５とサムターン１１とを内外に嵌合する連結構造によれば、サムターン軸５およびサムターン１１の構造を簡素化して、その製作コストを減らすことができる。サムターン軸５を、サムターン１１ないしシリンダー錠２６のいずれか一方に分離不能に組み付けておくと、内側錠ユニット２と外側錠ユニット３をドア１の内外から単に組むだけで、サムターン軸５を連結対象に係合連結でき、組み立ての手間を軽減できる。
【００１０】
サムターン１１に固定したピン３６を、スライド軸部３２に設けた逃げ溝３４に係合し、サムターン軸５とサムターン１１とを相対スライド可能に、しかも分離不能に係合連結したうえで、サムターン軸５をばね３７でシリンダー錠２６の側へ向かって移動付勢する連結構造によれば、サムターン軸５の連結部３３をシリンダー錠２６に常に密着係合させて、例えば、外部振動によって連結部３３がシリンダー錠２６から分離するのを確実に防止できる。適用するドア１の厚み寸法が大小に異なる場合にも、サムターン軸５のサムターン１１に対する係合位置を予め調整する必要もなく、単に内側錠ユニット２と外側錠ユニット３をドア１の内外に組むだけで、ドア１の厚み寸法の違いをばね３７で吸収できる。
【００１１】
【実施例】
図２においてグレモン錠は、ドア１の内面側に配置した内側錠ユニット２と、ドア１の外面側に配置した外側錠ユニット３と、これらを連動可能に連結する下方のハンドル軸４および上方のサムターン軸５と、両ユニット２・３をドア１に締結固定する４個のビス６などで構成する。
【００１２】
図２および図３において、内側錠ユニット２は錠本体８と、錠本体８の外面を覆う内カバー９と、内カバー９の外面に配置した内ハンドル１０およびサムターン１１などで構成する。錠本体８は、角箱状のケース１２を有し、ケース１２の内部に原動レバー１３と、従動レバー１４と、上ロッド枠１５および下ロッド枠１６と、デッドボルト１７などの主作動機構を収容し、さらに上ロッド枠１５の下方への復帰スライド（開放動作）を阻止するサムターンレバー１８などを設けてなる。
【００１３】
右用と左用の錠本体８において部品を共用するために、原動レバー１３と従動レバー１４とサムターンレバー１８とは、それぞれの回動中心がケース１２の左右幅方向の中央を通る上下中心軸の上下に位置するよう配置する。デッドボルト１７は原動レバー１３の下方に配置する。原動レバー１３はハンドル軸４と係合するボスを有し、ボスの周面に従動レバー１４および下ロッド枠１６を操作するための操作腕を突設する。上ロッド枠１５は、原動レバー１３で従動レバー１４を介して操作される。図２に示すように、原動レバー１３、従動レバー１４およびサムターンレバー１８は、それぞれボスの前後端がケース１２の側壁で回動自在に軸支される。サムターン１１は操作つまみ１９と角筒状の筒軸部２０とを有するダイキャスト成形品からなり、筒軸部２０の内面に断面四角形状の連結穴２１を設ける（図５参照）。サムターン１１でサムターンレバー１８を揺動操作することにより、そのロック腕１８ａで従動レバー１４を解錠不能にロックし、あるいはロック解除できる。符号２２（図３参照）はサムターンレバー１８を遊転不能に圧接保持するトーションばねである。
【００１４】
デッドボルト１７は、原動レバー１３で操作されて、図３に想像線で示す鎖錠位置と、実線で示すようにケース１２内へ退入する開錠位置との間で左右スライドできる。符号２３は、デッドボルト１７の出退操作を補助するクリックばねである。上ロッド枠１５および下ロッド枠１６は、それぞれ門形の枠体からなり、各々の上下端壁にロッド２４をねじ込み連結する。両ロッド枠１５・１６は原動レバー１３の回動に連動して、上下逆向きに同時スライドできる。
【００１５】
内ハンドル１０はダイキャスト成形品からなり、その基端のボス部１０ａに角軸からなるハンドル軸４の一端を内嵌固定する。これにより、原動レバー１３はハンドル軸４を介して内ハンドル１０と連結され、内ハンドル１０の回動操作に同行して回動できる。
【００１６】
図２において外側錠ユニット３は、ダイキャスト成形品からなる外カバー２５を有し、外カバー２５の上下にシリンダー錠２６と外ハンドル２７を配置し、シリンダー錠２６を収容するボス部の開口面を、開閉自在な防水キャップ２８で閉止して構成する。外カバー２５の内面には、ビス６用のねじボス２９を突設する。外ハンドル２７のボス部２７ａに、先のハンドル軸４を内嵌係合し、ビス３０で固定することにより、内外のハンドル１０・２７を同行揺動できる。外ハンドル２７に設けられるハンドル軸４用の連結穴は、余裕をもって深く形成してある。従って、外ハンドル２７に対するハンドル軸４の係合深さを変更し、その位置でハンドル軸４をビス３０で固定することにより、ドア１の厚み変化に支障なく対応できる。シリンダー錠２６の内端には、鍵による鎖錠および解錠動作を出力するための錠軸４０が設けてある。錠軸４０は断面十文字錠に形成してあって、後述するサムターン軸５の連結部３３に設けた連結穴３５と係合する。
【００１７】
シリンダー錠２６とサムターン１１とは、サムターン軸５を介して同行回転可能に連結するが、この連動構造をドア１の厚み変化に対応して兼用可能とするために、サムターン軸５とサムターン１１を軸方向へ相対スライド可能に連結する。図１においてサムターン軸５は、角軸からなるスライド軸部３２と、軸端の連結部３３とを一体に形成したダイキャスト成形品からなり、スライド軸部３２の軸心にそって逃げ溝３４を通設する。スライド軸部３２は、サムターン１１の連結穴２１と内嵌係合する。連結部３３の端部には、シリンダー錠２６の錠軸４０と係合する鼓形の連結穴３５を凹設する（図６参照）。
【００１８】
サムターン軸５をサムターン１１の連結穴２１に係合したのち、逃げ溝３４と係合するピン３６を筒軸部２０に固定することにより、サムターン軸５とサムターン１１を、相対スライド可能なままで分離不能に一体化する。このとき、連結部３３とサムターンレバー１８のボス端との間に圧縮コイル形のばね３７を組んで、サムターン軸５の全体を錠軸４０の側へ向かって移動付勢する。ばね３７のサムターンレバー１８の端は蜜着する状態で巻かれている。この蜜巻部３８でピン３６の抜け出しを防ぐためである（図５参照）。
【００１９】
以上のように構成したグレモン錠を取り付けるために、ドア１にシリンダー錠２６が装填されるボスを収容できる第１通口４１と、外ハンドル２７のボス部２７ａを収容できる第２通口４２とを通設し、さらに、ねじボス２９用の通口４３を通設する。両通口４１・４２は、サムターン軸５およびハンドル軸４の通し穴を兼ねている。
【００２０】
グレモン錠をドア１に装着する場合には、まず外側錠ユニット３をゴム製のパッキン４４を介してドア１の外面に接合し、シリンダー錠２６用のボスを第１通口４１に差し込みながら、各ねじボス２９を通口４３に差し込む。次に内側錠ユニット２をドア１の内面に当てがい、ハンドル軸４を第２通口４２を介して外ハンドル２７のボス部２７ａに差し込み係合する。同時に、サムターン軸５の連結部３３をシリンダー錠２６の内端に差し込み係合し、連結穴３５と錠軸４０を係合させる。この状態を維持したままで、ビス６を通口４３を介してねじボス２９にねじ込んで内外の錠ユニット２・３を締結固定する。最後に、上下のロッド２４を上下のロッド枠１５・１６にねじ込んで、錠全体の取り付けを完了する。
【００２１】
図７は本発明の別実施例を示す。そこでは、ばね３７をサムターン１１の連結穴２１に装填して、サムターン軸５を錠軸４０へ向かって移動付勢する点が、先の実施例と異なる。
【００２２】
上記の実施例以外に、サムターン軸５とサムターン１１を相対スライド自在に連結する構造としては、両者５・１１を内外に嵌合する以外に、図８に示す係合構造を採用することができる。もちろん、キー嵌合やスプライン嵌合等の嵌合形態を採ることができる。サムターン軸５はシリンダー錠２６と一体化してあってもよく、その場合にはばね３７を省略することができる。なお、外ハンドル２７は、作業者が携行できるよう取り外し可能に構成することができる。本発明のグレモン錠は、無人の通信中継施設、防音室、工場、保安施設等の大形で堅牢なドアに適用される。
【図面の簡単な説明】
【図１】シリンダー錠とサムターンの連結構造を示す断面図である。
【図２】グレモン錠の縦断側面図である。
【図３】内側錠ユニットの鎖錠状態の縦断正面図である。
【図４】グレモン錠の分解側面図である。
【図５】図１におけるＡ―Ａ線断面図である。
【図６】錠軸と連結部との連結構造を示す断面図である。
【図７】サムターン軸の付勢構造の変形例を示す断面図である。
【図８】サムターンとサムターン軸の別の係合構造を示す断面図である。
【符号の説明】
１  ドア
２  内側錠ユニット
３  外側錠ユニット
４  ハンドル軸
５  サムターン軸
８  錠本体
１０  内ハンドル
１１  サムターン
２７  外ハンドル
３２  スライド軸部
３３  連結部
３４  逃げ溝
３５  連結穴
３６  ピン
３７  ばね
４０  錠軸
【図１】
0004477200.tif 000002
【図２】
0004477200.tif 000003
【図３】
0004477200.tif 000004
【図４】
0004477200.tif 000005
【図５】
0004477200.tif 000006
【図６】
0004477200.tif 000007
【図７】
0004477200.tif 000008
【図８】
0004477200.tif 000009